(57)【特許請求の範囲】
【請求項１】
光ビームを放射するための固体光エミッタ照明アセンブリであって、
前記光ビームを周囲に送出するための光出射窓と、
前記光出射窓に向けて衝突光を反射するように配置された反射器であって、湾曲した反射面を有し、前記光出射窓に向かって曲がった少なくとも１つの縁部を有する、反射器と、
光をインカップルするための第１の端部を有し、光をアウトカップルするための第２の端部を有し、前記第１の端部と前記第２の端部との間に側面を有する光ガイドであって、インカップルされた光を内部全反射によって前記第１の端部から前記第２の端部に向けて実質的にガイドするように配置されており、前記第１の端部は、前記反射器の前記少なくとも１つの縁部の第１の側に配置されており、前記第１の側は、前記反射面から離れており、前記第２の端部は、前記反射器と前記光出射窓との間の位置に配置されており、アウトカップルされた前記光を前記光出射窓から離れる方向に前記反射器に向けて放射するように配置されている、光ガイドと、
前記第１の側に配置された固体光エミッタであって、前記光ガイドの前記第１の端部に向けて光を放射するように配置された固体光エミッタとを備え、
前記固体光エミッタは、前記反射器の外側に配置されており、使用中に、前記反射器によって前記光出射窓に向けて反射された光の一部が、前記側面を経て前記光ガイドを透過する、固体光エミッタ照明アセンブリ。
【請求項２】
前記反射器は、少なくとも一方向において、左湾曲部及び右湾曲部からなる断面形状を有し、前記湾曲部は両方とも、断面形状の中心点を基準に見ると、前記光出射窓の方向に曲がった内側縁部と、前記光出射窓の方向に曲がった外側縁部とを備え、
前記固体光エミッタは、前記光出射窓から前記反射器に向かう方向に沿った平面図で見ると、前記左湾曲部の前記内側縁部と前記右湾曲部の前記内側縁部との間に設けられている、
請求項１に記載の固体光エミッタ照明アセンブリ。
【請求項３】
前記第１の端部は、前記光出射窓から前記反射器に向かう方向に沿った平面図で見ると、前記内側縁部間の領域に配置されており、前記第２の端部は、前記光出射窓から前記反射器に向かう方向に沿った平面図で見ると、右部及び左部の一方の前記内側縁部と前記外側縁部との間に配置されている、又は、
前記光ガイドは、両方とも第２の端部を有する２つの部分を備え、２つの前記第２の端部の一方は、前記光出射窓から前記反射器に向かう方向に沿った平面図で見ると、前記左湾曲部の前記内側縁部と前記外側縁部との間に配置されており、２つの前記第２の端部の他方は、前記光出射窓から前記反射器に向かう方向に沿った平面図で見ると、前記右湾曲部の前記内側縁部と前記外側縁部との間に配置されている、
請求項２に記載の固体光エミッタ照明アセンブリ。
【請求項４】
前記反射器は、軸線を中心に回転対称であり、前記軸線を含む全ての断面平面において、前記左湾曲部及び前記右湾曲部を含む断面形状を有する、
請求項２又は３に記載の固体光エミッタ照明アセンブリ。
【請求項５】
前記光ガイドは、前記軸線を中心に回転対称であり、前記軸線を含む全ての断面平面において、前記第１の端部を含む中央部と、前記反射器の前記左湾曲部と前記光出射窓との間の１つの第２の端部と、前記反射器の前記右湾曲部と前記光出射窓との間の更なる第２の端部とを含む断面形状を有する、
請求項４に記載の固体光エミッタ照明アセンブリ。
【請求項６】
前記光出射窓から前記反射器に向かう方向に沿った平面図で見ると、前記左湾曲部の前記内側縁部と前記右湾曲部の前記内側縁部との間に設けられた複数の固体光エミッタを備える、請求項２、４又は５のいずれか一項に記載の固体光エミッタ照明アセンブリ。
【請求項７】
複数の光ガイドを備え、前記光ガイドは、第１の端部及び第２の端部を有し、個々の前記固体光エミッタは、前記光ガイドのうちの対応する１つの前記第２の端部に向けて光を放射するように配置されている、請求項６に記載の固体光エミッタ照明アセンブリ。
【請求項８】
前記反射器は、複数の湾曲した副反射器を備え、ｉ）前記光ガイドが、複数の第２の端部を備え、個々の前記副反射器が、前記第２の端部のうちの対応する１つからの光を受光するように配置されていること、及びｉｉ）前記固体光エミッタ照明アセンブリが、複数の光ガイドを備え、個々の前記副反射器が、前記光ガイドのうちの対応する１つからの光を受光するように配置されていること、のうちの少なくとも一方を含む、請求項１乃至７のいずれか一項に記載の固体光エミッタ照明アセンブリ。
【請求項９】
前記反射器の断面形状、又は、前記反射器の前記左部及び前記右部の断面形状が、実質的に円形又は放物線形状であり、オプションとして、前記反射器は、前記反射器の焦点が、周囲に放射される所定の光ビームを得るために前記光ガイドの前記第２の端部に近接するように、前記光ガイドの前記第２の端部に対して配置されている、請求項１乃至８のいずれか一項に記載の固体光エミッタ照明アセンブリ。
【請求項１０】
前記側面を経て前記光ガイドを透過させるために前記光ガイドに向けて衝突光を反射する、前記反射器の一部の断面形状が、前記側面を経て前記光ガイドを透過した光線の屈折の結果として前記光ビームの光の一部の劣化したコリメーションを補正するために、理想的な円形又は放物線形状から逸脱している、請求項９に記載の固体光エミッタ照明アセンブリ。
【請求項１１】
前記光ガイドの前記第２の端部は、周囲に伝達される前記光ビームを最適化するために、前記第２の端部によって前記反射器に向けて放射される光の強度分布に影響を及ぼすように適合されている、及び／又は前記第２の端部は、断面において楔形であってもよく、平坦であってもよく、湾曲していてもよく、小平面を備えてもよく、湾曲面と小平面との組み合わせ、又は平坦面と湾曲面との組み合わせを備えてもよい、請求項１乃至１０のいずれか一項に記載の固体光エミッタ照明アセンブリ。
【請求項１２】
第２の反射器を備え、前記第２の反射器は、漏光を反射する位置に配置されており、前記漏光は、前記固体光エミッタによって放射された光であり、かつ表面反射、光除去、若しくは散乱のため、又は前記光ガイドの前記第１の端部に直接向いていない光出射方向のためのいずれかにより、前記光ガイドの前記第１の端部にカップルインされない光であり、前記第２の反射器は、前記光ガイドの前記第１の端部に向けて、又は前記光出射窓に向けて漏光を反射するように配置されている、請求項１乃至１１のいずれか一項に記載の固体光エミッタ照明アセンブリ。
【請求項１３】
前記光ガイドの前記第１の端部、前記第２の端部、及び前記側面の部分のうちの少なくとも１つは、前記第２の端部において前記光ガイドから離れる光の強度分布を最適化するために、前記光ガイドを通してガイドされる光を混合するための構造体を備える、請求項１乃至１２のいずれか一項に記載の固体光エミッタ照明アセンブリ。
【請求項１４】
前記光ガイドの少なくともあるセグメントが湾曲しており、前記反射器によって前記光出射窓に向けて反射された前記光の前記一部は、前記側面を経て前記セグメントを透過し、前記セグメントに沿った前記光ガイドの断面厚さが、前記側面を経て前記セグメントを透過した前記光線のコリメーションに対する前記光ガイドの前記セグメントの負の影響を補償するように変化している、請求項１乃至１３のいずれか一項に記載の固体光エミッタ照明アセンブリ。
【請求項１５】
請求項１乃至１４のいずれか一項に記載の固体発光照明アセンブリを備える、照明器具。
【発明の詳細な説明】
【技術分野】
【０００１】
本発明は、固体光エミッタ照明アセンブリに関する。本発明は更に、照明器具に関する。
【背景技術】
【０００２】
ここ数年、とりわけプロフェッショナル照明チャネルでは、従来のスポットランプの多くが、エネルギーの節約及び短期の投資回収のため、発光ダイオード（ＬＥＤ）レトロフィットスポットランプによって置き換えられてきた。従来の白熱灯エミッタとＬＥＤとの特性の違いは、光学要素、熱管理ソリューション、及び電気回路の異なる設計を必要とする。異なる態様が異なるように設計されなければならないが、ＬＥＤレトロフィットスポットランプが、照明器具のいかなる修正も伴わずに従来のランプに直接取って代わることができることも必要とされている。よって、ＬＥＤレトロフィットスポットランプが、従来のランプと全く同じ形状及びサイズを有していれば有利である。
【０００３】
例えば、特開２０１１  １９８６５９Ａ号公報は、ＬＥＤ光源からの光をガイドする光ガイドレンズを備え、光ガイドレンズに入射面、内側反射面、外側反射面、及び出射面が設けられた、ＬＥＤランプを開示している。内側反射面は、端点を通る接線が中心軸線と平行になり、端点を通る接線が中心軸線と垂直になり、かつ端点が端点よりも中心軸線に近接して位置するように配置された４分の１円弧を中心軸線を中心に回転させることによって形成される。外側反射面は、端点を通る接線が中心軸線と平行になり、端点を通る接線が中心軸線と垂直になり、かつ端点が端点よりも中心軸線に近接して位置するように配置された４分の１円弧を中心軸線を中心に回転させることによって形成される。
【０００４】
例えば、米国特許出願公開第２０１４／３４０９２７号は、照明器具として機能する光ガイドを開示している。照明器具は、ＬＥＤなどの少なくとも１つの固体光源と、固体光源からの光を受光するように構成された光ガイドとを含む。光源からの光は、光ガイドにカップルインされ、光が光ガイドから出るまで内部全反射によって当該内部で輸送される。光ガイドの形状は、光の抽出を引き起こし誘導し、抽出光の特定のパターンを作り出すために使用することもできる。このような形状としては、直線状の楔及びねじれた楔が挙げられる。光学フィルムが、光ガイドの光入力面及び光出力面上に含まれ得る。
【０００５】
例えば、国際公開第２０１４／０８０７７１Ａ１号は、上部導光体、中間導光体、及び下部導光体から構成された導光体を経てＬＥＤ要素の投射光をガイド及び投射する照明デバイスを開示している。上部導光体は、中空円筒であり、上部導光体の隔壁内部に向けて照明光を投射するＬＥＤ要素は、上端面に配置される。中間導光体は、ＬＥＤ要素から上部導光体の隔壁内部に沿ってほぼ直線的に投射され進行する照明光が阻止されるように曲げられて、上部導光体の外周方向に広がる、朝顔形の中空形状を有する。下部導光体は、上部導光体と直交するようにほぼ水平方向に延びる中空フランジ形状を有する。
【０００６】
例えば、米国特許出願公開第２０１３／１５５７１９Ａ１号は、照明器具として機能する光ガイドを開示している。照明器具は、ＬＥＤなどの少なくとも１つの固体光源と、固体光源からの光を受光するように構成された光ガイドとを含む。光源からの光は、光ガイドにカップルインされ、光が光ガイドから出るまで内部全反射によって当該内部で輸送される。光ガイドの形状は、光の抽出を引き起こし誘導する。形状は、抽出光の特定のパターンを作り出すためにも使用することができる。
【０００７】
発光ダイオードベースのスポットライトの例が、例えば中国実用新案第２０４０８３８７２Ｕ号に開示されている。反射器の中心には、発光ダイオードと、発光ダイオードの上部に設けられた光ガイドとが設けられる。放射された光は、光ガイドにカップルインされ、光ガイドの特定の形状のために、光のかなりの部分が光ガイドの側面を経て反射器に向けて放射される。反射器は、光ビームがスポットライトの周囲に放射されるように、スポットライトの光出射窓又は光出射絞りに向けて衝突光を反射する。このような解決策において、光ガイドは、従来の白熱光エミッタの発光パターンをシミュレートするように使用され設計される。同様の解決策が、特許第５４３７１２８号公報に提示されている。
【発明の概要】
【発明が解決しようとする課題】
【０００８】
上記引用文献の解決策は、例えば、ＡＲ１１１スポットランプに組み込むことが困難である。当該文献の光ガイドの具体的な設計では、上記文献のスポットライトは比較的厚くなる。更に、ＡＲ１１１スポットランプが、例えば、全幅半値（ＦＷＨＭ：Full Width Half Maximum）ビーム角度７度を有する、比較的狭い光ビームを放射しなければならない場合に、上記の引用文献の解決策をＡＲ１１１において使用することはほぼ不可能である。
【０００９】
本発明の目的は、コンパクトであり、レトロフィットランプにおける固体光エミッタ照明アセンブリの使用を可能にする、固体光エミッタ照明アセンブリを提供することである。
【課題を解決するための手段】
【００１０】
この目的で、本発明の一態様によれば、固体光エミッタ照明アセンブリが提供される。この目的で、本発明の別の態様によれば、照明器具が提供される。
【００１１】
固体光エミッタ照明アセンブリは、光ビームを放射するためのものである。固体光エミッタ照明アセンブリは、光出射窓と、反射器と、光ガイドと、固体光エミッタとを備える。光ビームは使用中に、光出射窓を通して固体光エミッタ照明アセンブリの周囲に送出される。反射器は使用中に、光出射窓に向けて衝突光を反射する。反射器は、湾曲した反射面を有し、光出射窓に向かって曲がった少なくとも１つの縁部を有する。光ガイドは、使用中に光ガイドに光をカップルインする第１の端部を有する。光ガイドは、使用中に光ガイドから光をカップルアウトする第２の端部を有する。光ガイドは、第１の端部と第２の端部との間に側面を有する。光ガイドは使用中に、インカップルされた光を内部全反射によって第１の端部から第２の端部に向けてガイドする。第１の端部は、反射器の少なくとも１つの縁部の第１の側に配置されている。第１の側は、反射面から離れている側であり、すなわち、少なくとも１つの縁部の一方の側が反射面であり、少なくとも１つの縁部の別の側が第１の側である。第２の端部は、反射器と光出射窓との間の位置に配置され、使用中に、アウトカップルされた光を光出射窓から離れる方向に反射器に向けて放射する。光出射窓から離れて反射器に向かう方向とは、光出射窓の方に直接向かわず、第２の端部から反射器の方に向かう方向である。固体光エミッタは、反射器の外側に配置される。固体光エミッタは、第１の側の位置に配置される。つまり、光出射窓から反射器に向かう方向に沿った平面図で見ると、固体光エミッタは、少なくとも１つの曲げ縁部の反射面から離れている側にある。固体光エミッタは使用中に、光ガイドの第１の端部に向けて光を放射する。使用中、反射器によって光出射窓に向けて反射された光の一部は、側面を経て光ガイドを透過する。
【００１２】
この手段は、固体光エミッタ照明アセンブリが、比較的コンパクトに、例えば、従来のＡＲ１１１スポットランプ内に十分にフィットするように比較的薄く作製され得るという効果を有する。このことは、この文脈では、光出射窓から固体光エミッタ照明アセンブリの背面までの距離が比較的小さいことを意味する。固体光エミッタが反射器の上方にないという事実は、比較的薄い固体光エミッタ照明アセンブリに寄与する。更に、例えば、引用された中国特許出願の実施形態のように、固体光エミッタのエリアによって反射器を遮る必要がないため、反射器のエリアが比較的大きくなり得る。比較的大きな反射器は、最大ピーク光出力が比較的大きくなることができ、固体光エミッタ照明アセンブリが点光源として体験されない（よって、グレアの体験リスクが抑えられる）ことを意味する。固体光エミッタは、反射器の外側に設けられているため、光源から離れるように熱を輸送するための冷却構造に光源を結合することが比較的容易である。
【００１３】
固体光エミッタの設計では、反射器を設計するための自由度が非常に高く、これは、固体光エミッタが反射器とは別の位置に設けられるためであり、光ガイドが反射器に向けて光を輸送するために使用されるためである。したがって、比較的狭い光ビーム内で光を放射する反射器を適用することが比較的容易である。加えて、それは、反射器設計が固体光エミッタ照明アセンブリの他の要素の不利な効果を補正するように更に最適化され得るという利点ももたらす。
【００１４】
更に、光ガイドの第１の端部及び光ガイドの第２の端部の配置は、光ガイドが比較的急な曲面を含む必要がないようなものである。このような比較的急な曲線は、第１の端部と第２の端部との間の光漏れをもたらし得る。光漏れは、ユーザによるグレアの体験、放射される光ビームの形状の歪み、及び効率／有効性の損失などの多くの欠点をもたらし得る。
【００１５】
オプションとして、反射器及び／又は光ガイドは、軸線を中心に回転対称である。回転対称の反射器及び／又は光ガイドの使用は、例えば、ＡＲ１１１設計などの従来の多くのランプ設計の設計／形状に固体光エミッタ照明アセンブリを組み込むことを可能にする。固体光エミッタ照明アセンブリが従来のランプ設計／形状に使用される場合、空間が効率的に使用されなければならず、このことは、回転対称の反射器及び／又は光ガイドを使用することによって行われ得る。これにより、比較的大きな発光面を得ることができ、このことは、比較的高いピーク強度の光の放射を可能にする。
【００１６】
オプションとして、反射器は、少なくとも一方向において、左湾曲部及び右湾曲部からなる断面形状を有する。湾曲部は両方とも、断面形状の中心点を基準に見ると、光出射窓の方向に曲がった内側縁部と、光出射窓の方向に曲がった外側縁部とを備えている。固体光エミッタは、光出射窓から反射器に向かう方向に沿った平面図で見ると、左湾曲部の内側縁部と右湾曲部の内側縁部との間に設けられている。オプションとして、第１の端部は、光出射窓から反射器に向かう方向に沿った平面図で見ると、内側縁部間の領域に配置される。第２の端部は、光出射窓から反射器に向かう方向に沿った平面図で見ると、左部及び右部のうちの一方の内側縁部と外側縁部との間に配置されている。又は、光ガイドは、両方ともが第２の端部を有する２つの部分を備える。２つの第２の端部の一方は、光出射窓から反射器に向かう方向に沿った平面図で見ると、左湾曲部の内側縁部と外側縁部との間に配置されている。２つの第２の端部の別の一方は、光出射窓から反射器に向かう方向に沿った平面図で見ると、右湾曲部の内側縁部と外側縁部との間に配置されている。オプションとして、光出射窓から反射器に向かう方向に沿った平面図で見ると、左湾曲部の内側縁部と右湾曲部の内側縁部との間に複数の固体光エミッタが設けられる。
【００１７】
上の段落のオプション実施形態において、固体光エミッタ、及びオプションとして複数の固体光エミッタは、固体光エミッタ照明アセンブリの中心に近接して配置され、互いに相対的に近接して配置される。このことは、固体光エミッタに電力を供給するために比較的小さいプリント回路基板エリアが使用される必要があり、これにより、固体光エミッタ照明アセンブリのコストが抑えられるという利点をもたらし得る。
【００１８】
上述のオプション実施形態は、（部分的に）回転対称の固体光エミッタ照明アセンブリであってもよく、細長い（例えば、線状の）設計であってもよい。
【００１９】
上述の固体光エミッタ照明アセンブリの設計は、いくつかの自由度を有する。なお、光ガイドを透過した光の一部は、光ガイドの側面で屈折されるため、光は、周囲に放射されなければならない光ビームの要件に関して最適ではない光透過方向を得ることがあることに留意されたい。オプションの解決策では、側面を経て光ガイドを透過させるために光ガイドに向けて衝突光を反射する、反射器の一部の断面形状が、側面を経て光ガイドを透過した光線の屈折の結果として光ビームの光の一部の劣化したコリメーションを補正するために、理想的な円形又は放物線形状から逸脱している。オプションの解決策では、光ガイドの少なくともあるセグメントが湾曲しており、反射器によって光出射窓に向けて反射された光の一部は、側面を経てセグメントを透過する。セグメントに沿った光ガイドの断面厚さは、側面を経てセグメントを透過した光線のコリメーションに対する光ガイドのセグメントの負の影響を補償するように変化している。
【００２０】
また、一連の要件に関して最適な透過光ビームを得るために、他の手段が使用されてもよい。例えば、光ガイドの第２の端部は、周囲に送出される光ビームを最適化するために、第２の端部によって反射器に向けて放射される光の強度分布に影響を及ぼすように適合される。例えば、第２の端部は、楔形、オプションとして断面において単に楔形であってもよく、平坦であってもよく、湾曲していてもよく、小平面を備えてもよく、湾曲面と小平面との組み合わせ、又は平坦面と湾曲面との組み合わせ、並びに上述したオプションの他の組み合わせを備えてもよい。例えば、光ガイドの第１の端部、第２の端部、又は側面の部分は、第２の端部において光ガイドから離れる光の強度分布を最適化するように、光ガイドを通してガイドされる光を混合するための構造体を備える。このような構造体は、側面の部分又は当該部分内に設けられた表面粗さ、表面テクスチャ、凹み、突起、粒子、及び／又は任意の他の適当な光混合構造体であってもよい。
【００２１】
オプションとして、固体光エミッタ照明アセンブリは、第２の反射器を備え、第２の反射器は、漏光を反射する位置に配置される。漏光は、固体光エミッタによって放射された光であり、かつ表面反射、光除去、散乱のため、又は光ガイドの第１の端部に直接向いていない光出射方向のためのいずれかにより、光ガイドの第１の端部にカップルインされない光である。第２の反射器は、光ガイドの第１の端部に向けて、又は光出射窓に向けて漏光を反射する。オプション実施形態は、グレアの体験を抑えることができ、要件に関する透過光ビームの歪みを抑えることができ、固体光エミッタ照明アセンブリの効率を高めることができる。
【００２２】
本発明の別の態様によれば、照明器具が提供される。照明器具は、本発明の上述の態様による、及び／又は本出願で説明される実施形態の１つによる、固体光エミッタ照明アセンブリを備える。照明器具は、説明された固体光エミッタ照明アセンブリと同様の効果及び利点を有する。
【００２３】
本発明によるデバイス及び方法の更に好ましい実施形態は、添付の特許請求の範囲で述べられ、開示が本明細書に参照として組み込まれている。
【図面の簡単な説明】
【００２４】
本発明のこれら及び他の態様は、以下の記載で例として記載された実施形態を参照して、かつ添付図面を参照して明らかであり、更に明瞭になるであろう。
【図１ａ】固体光エミッタ照明アセンブリの第１の実施形態の断面図を概略的に示す。
【図１ｂ】示された方向ｔｖに沿って見た、図１ａの固体光エミッタ照明アセンブリの第１の実施形態の上面図を概略的に示す。
【図１ｃ】固体光エミッタ照明アセンブリの第１の実施形態の上面の３次元図を概略的に示す。
【図２ａ】固体光エミッタ照明アセンブリの第２の実施形態の上面の３次元図を概略的に示す。
【図２ｂ】固体光エミッタ照明アセンブリの第２の実施形態の底面の３次元図を概略的に示す。
【図３ａ】固体光エミッタ照明アセンブリの第３の実施形態の上面の３次元図を概略的に示す。
【図３ｂ】固体光エミッタ照明アセンブリの第３の実施形態の底面の３次元図を概略的に示す。
【図４ａ】固体光エミッタ照明アセンブリの第４の実施形態の上面の３次元図を概略的に示す。
【図４ｂ】固体光エミッタ照明アセンブリの第４の実施形態の底面の３次元図を概略的に示す。
【図４ｃ】固体光エミッタ照明アセンブリの第４の実施形態の断面図を概略的に示す。
【図４ｄ】固体光エミッタ照明アセンブリの第５の実施形態の断面図を概略的に示す。
【図５ａ】固体光エミッタ照明アセンブリの第６の実施形態の上面の３次元図を概略的に示す。
【図５ｂ】固体光エミッタ照明アセンブリの第６の実施形態の底面の３次元図を概略的に示す。
【図６】適合されたミラー形状の断面図及び実施形態を概略的に示す。
【図７ａ】固体光エミッタ照明アセンブリの第７の実施形態の断面図を概略的に示す。
【図７ｂ】固体光エミッタ照明アセンブリの第８の実施形態の断面図を概略的に示す。
【図７ｃ】固体光エミッタ照明アセンブリの第７の実施形態の３次元図を概略的に示す。
【図７ｄ】固体光エミッタ照明アセンブリの第７又は第８の実施形態の照明ガイドの第２の端部の一実施形態を概略的に示す。
【図７ｅ】固体光エミッタ照明アセンブリの第７又は第８の実施形態の照明ガイドの第２の端部の別の実施形態を概略的に示す。
【図８】固体光エミッタ照明アセンブリの第１の実施形態のシミュレートされた発光分布を有するチャートを概略的に示す。
【図９】光ガイドの詳細の側面図を概略的に示す。
【図１０】第２の反射器の使用を概略的に示す。
【図１１】細長い固体光エミッタ照明アセンブリの一実施形態を概略的に示す。
【図１２】照明器具の一実施形態を概略的に示す。
【００２５】
これらの図は純粋に略図であり、縮尺通りに描かれていない。これらの図中、既に説明されている要素に対応する要素は、同じ参照番号を有し得る。
【発明を実施するための形態】
【００２６】
図１ａは、固体光エミッタ照明アセンブリ１００の一実施形態の断面図を概略的に示す。固体光エミッタ照明アセンブリ１００は、光出射窓１１０と、反射器１２０'、１２０"と、光ガイド１５０'、１５０"と、固体光エミッタ１６０とを備える。
【００２７】
使用中、固体光エミッタ照明アセンブリ１００は、光出射窓１１０を通して固体光エミッタ照明アセンブリ１００の周囲に光ビームを放射する。光出射窓１１０は破線で描かれており、このことは、周囲に放射される光が通る物理層が存在し得ることを意味するが、それが、固体光エミッタ１００の前面の、周囲に放射される光が通る仮想平面であってもよいことを意味する。つまり、用語「窓」は広く解釈されるものであり、それは、透明／半透明材料で覆われていない開口であってもよい。光出射窓１１０は、周囲に放射される光ビームの中心光線と垂直に配置されてもよい。一実施形態において、光出射窓１１０は、例えば、ガラス又は透明な光透過性材料で作製された、透明プレートである。光出射窓１１０は、周囲に放射される光ビームに影響を及ぼす構造体を備えてもよい。このような構造体は、例えば、散乱構造体又は拡散構造体である。周囲に放射される光ビームが比較的狭い全幅半値（ＦＷＨＭ）発光角度を有する場合、光出射窓１１０は、ほとんどの場合、光を散乱又は拡散させない。
【００２８】
反射器１２０'、１２０"は、衝突光を光出射窓１１０に向けて反射するように、固体光エミッタ照明アセンブリ１００内に配置される。反射器１２０'、１２０"は、湾曲した反射面１２４を有し、光出射窓１１０に向かって曲がった少なくとも１つの縁部を有する。図１ａの例において、反射器の左湾曲部１２０'及び右湾曲部１２０"が断面図に示されている。後述するように、反射器１２０'、１２０"は、固体光エミッタ照明アセンブリ１００の軸線１９０を中心に回転対称であり、よって、左湾曲部１２０'と右湾曲部１２０"とは互いに接続される。図１ａの例において、反射器１２０'、１２０"は、内側縁部及び外側縁部である、光出射窓１１０に向かって曲がった２つの縁部を有する。左湾曲部１２０'は、外側縁部１２１'及び内側縁部１２２'を示す。右湾曲部１２０"は、外側縁部１２１"及び内側縁部１２２"を示す。「光出射窓に向かって曲がった」とは、縁部が、反射器１２０'、１２０"の他の部品が有するよりも光出射窓に近接した位置を有することを意味する。
【００２９】
反射器１２０'、１２０"は、反射面を有する金属で作製されてもよい。反射器１２０'、１２０"は、別の好適な材料、例えば、反射性材料でコーティングされたプラスチックで作製されてもよい。反射器がプラスチックで作製される場合、反射器１２０'、１２０"は、射出成形プロセスによって製造されてもよく、具体的なケースではまた、押出プロセスによって製造されてもよい。反射層は、その後、製造された部品上に設けられる。反射器１２０'、１２０"はまた、３ｄ印刷などの積層造形技術によって作製されてもよく、この技術では、反射器１２０'、１２０"の形状を作り出すために、プラスチック、セラミック、又は金属が使用される。反射器１２０'、１２０"はまた、例えば金属反射の代わりに、２つの内部全反射を利用する、ｖ溝付き誘電体反射器であってもよい。
【００３０】
図１ａの例に示されるような光ガイド１５０'、１５０"は、断面図における２つの部分、すなわち左部分１５０'及び右部分１５０"を含む。図１ｂ及び図１ｃに示されるように、光ガイドは、回転対称である単一部品であり、したがって、断面図では２つの部分１５０'、１５０"が見られる。光ガイド１５０'、１５０"は、固体光エミッタ１６０から光を受光するように配置され、かつ光が通って光ガイド１５０'、１５０"にインカップルされる、第１の端部１５２を有し、つまり、第１の端部１５２は光をインカップルするためのものである。光ガイド１５０'、１５０"は、光が通ってアウトカップルされ、かつ反射器１２０'、１２０"に向けて放射される、第２の端部１５４'、１５４"を有する。第１の端部１５２と第２の端部１５４'、１５４"との間に、光ガイド１５０'、１５０"は側面１５１、１５１'を有する。第２の端部１５４'、１５４"は、光出射窓１１０から離れる方向に光を放射する。光出射窓１００から離れて反射器１２０'、１２０"に向かう方向とは、光出射窓１１０の方に直接向かわず、第２の端部１５４'、１５４"から反射器１２０'、１２０'の方に向かう方向である。
【００３１】
光ガイド１５０'、１５０"は、インカップルされた光を内部全反射によって第１の端部１５２から第２の端部１５４'、１５４"に向けてガイドする。光ガイドにカップルインされた光の比較的大量の部分が内部全反射によって第２の端部１５４'、１５４"に向けてガイドされ、光の比較的小量の部分が側面１５１'、１５１"を通して失われ得ることに留意されたい。オプションとして、光ガイド１５０'、１５０"にカップルインされた光の１０％以下が、側面１５１'、１５１"を通して光ガイド１５０'、１５０"から離れる。オプションとして、光ガイド１５０'、１５０"にカップルインされた光の５％以下が、側面１５１'、１５１"を通して光ガイド１５０'、１５０"から離れる。オプション実施形態において、光ガイド１５０'、１５０"は、急な曲線を有さず、よって少量の光が漏れるような形状である。側面１５１'、１５１"を通した漏光の量が少ないことの効果は、グレアの体験リスクが大きく抑えられること、及び固体光エミッタ照明アセンブリ１００の効率が高まることである。ＣＲＣ  ｐｒｅｓｓによって出版されたＪ．Ｃｈａｖｅｓの書籍「Ｉｎｔｒｏｄｕｃｔｉｏｎ  ｔｏ  ｎｏｎｉｍａｇｉｎｇ  ｏｐｔｉｃｓ」では、第１の端部１５２と第２の端部１５４'、１５４"との間での光漏れを防止する、光ガイドの幾何学的特性が説明されている。
【００３２】
光ガイドの第１の端部１５２は、固体光エミッタ１６０によって放射された光の比較的大量の部分を受光するような位置に配置される。光ガイド１５０'、１５０"の第２の端部１５４'、１５４"は、光ガイド１５０'、１５０"からカップルアウトされた光が反射器１２０'、１２０"に向けて放射されるような位置に配置される。後述するように、固体光エミッタ１６０は、反射器の曲げ（内側）縁部１２２'、１２２"の第１の側に配置され、よって、光ガイド１５０'、１５０"は、固体光エミッタ１６０によって放射された光を、反射器１２０'、１２０"に向かって曲げ（内側）縁部１２２'、１２２"を越えて輸送する機能を有する。図１ａでは、光ガイドが光出射窓１１０と反射器１２０'、１２０"との間で比較的長い距離にわたって延びていることも分かる。例えば、光出射窓１１０と平行な方向に見られ、かつ断面図に見られるように、光ガイド１５０'、１５０"は、断面図において当該方向に沿って光出射窓１１０と反射器１２０'、１２０"との間で反射器１２０'、１２０"の長さの少なくとも２５％の距離にわたって延びる。例えば、光出射窓１１０と平行な方向に見られ、かつ断面図に見られるように、光ガイド１５０'、１５０"は、断面図において当該方向に沿って光出射窓１１０と反射器１２０'、１２０"との間で反射器１２０'、１２０"の長さの少なくとも３５％、又は少なくとも４０％の距離にわたって延びる。
【００３３】
光ガイド１５０'、１５０"は、光透過性材料、オプションとして透明材料で作製される。光ガイド１５０'、１５０"は、ガラス又は光透過性プラスチックで作製されてもよい。好適な材料の例は、ＰＭＭＡ（ポリ（メチルメタクリレート））、ＰＣ（ポリカーボネート）、及びシリコーンである。より一般的な例は、透明／透き通った誘電材料である。光ガイド１５０'、１５０"は、射出成形又は射出圧縮成形プロセスにより、又は光ガイドの形状に応じて押出プロセスにより、製造されてもよい。光ガイド１５０'、１５０"はまた、３ｄ印刷などの積層造形技術によって製造されてもよい。
【００３４】
固体光エミッタ１６０は、光を放射するためのものである。固体光エミッタ１６０は、使用中に光ガイド１５０'、１５０"の第１の端部１５２に向けて光を放射する位置に配置される。固体光エミッタ１６０はまた、曲げ内側縁部１２２'、１２２"又は曲げ外側縁部１２１'、１２１"のうちの一方の第１の側の位置も有する。図１ａの例において、固体光エミッタ１６０は、曲げ内側縁部１２２'、１２２"の第１の側に位置する。第１の側にあるとは、光出射窓と平行な（仮想）平面で見ると、曲げ縁部の反射面１２４から離れた側にあることを意味する。つまり、曲げ縁部は、空間を、反射器１２０'、１２０"の反射面１２４が存在する側と、反射面１２４が存在しない側とに分割し、第１の側は反射面１２４が存在しないエリアである。その結果、上面図（図１ｂ）では、固体光エミッタ１６０と反射面１２４とは重なり合わない。図１ａにおいて、矢印１９２、１９４は、矢印１９２、１９４が連なる破線と共に、どちらのエリアが第１の側であるかを示す。外側曲げ縁部１２１'、１２１"に関する第１のエリアも存在することに留意されたい。これは、反射器１２０'の左部及び反射器の右部１２０"のそれぞれ左及び右のエリアである。また、固体光エミッタ１６０は、光出射窓により近接していることを意味する、より高い位置に位置してもよく、また、図１ａに描かれている、より低い位置に位置してもよいことに留意されたい。
【００３５】
固体光エミッタは、発光ダイオード（ＬＥＤ）であってもよい。レーザーダイオードなどの他の固体光エミッタも使用されてもよい。いくつかの実施形態において、固体光エミッタは、例えば４４０〜４６０ｎｍの波長範囲の一次光を放射する、ＧａＮ又はＩｎＧａＮベースのＬＥＤなどの青色発光ＬＥＤであってもよい。代わりに、固体光源は、ＵＶ光又は紫光を放射してもよく、これはその後、１つ以上の波長変換材料によってより長い波長の光に変換される。それにもかかわらず、ＬＥＤはまた、１，７００〜２０，０００Ｋまでの相関色温度を有する直接蛍光体変換ＬＥＤであってもよい。固体光エミッタは、半導体要素のみよりも多くの要素を有してもよい。固体光エミッタは、例えば、特定のパッケージを備えてもよい。例として、チップオンボードパッケージ（ＣＯＢ：Chip-on-board package）、マルチダイシングルエミッタパッケージ（ＭＤＳＥ：Multi-die single emitter package）及びチップスケールパッケージ（ＣＳＰ：Chip-scaled package）が挙げられる。また、例えば、青色、緑色、黄色、赤色、オレンジ色、ライム色などの特定の色を放射する光エミッタダイオードを使用することができる。
【００３６】
反射器１２０'、１２０"は、光出射窓１１０に向けて衝突光を反射する。反射光の一部が、光ガイド１５０'、１５０"の側面１５１'、１５１"を透過する。つまり、光の当該部分は、第１の端部１５２にも、第２の端部１５４'、１５４"にも衝突しないが、第１の端部１５２と第２の端部１５４'、１５４"との間にある光ガイド１５０'、１５０"の表面の一部に衝突する。
【００３７】
光線１９６のうちの１つの経路の例が図１ａに描かれている。分かるように、光線１９６は、光ガイド１５０"内の内部全反射によって反射され、光線１９６は光ガイド１５０"の第２の端部１５４"に向けて送出達される。第２の端部１５４"において、光線は、反射器１２０"の右部に向けて送出され、そこで光出射窓１１０に向けて反射される。光線１９６は、光ガイド１５０"の側面１５１'にある特定の位置に衝突する。当該位置において、光線１９６は光ガイド１５０"内に送出され、光ガイド１５０"の反対側の側面１５１"に向かけて送出され、そこで光線１９６は光出射窓１１０に向かって光ガイド１５０"から離れる。
【００３８】
図１ｂは、示された方向ｔｖに沿って見た、図１ａの固体光エミッタ照明アセンブリ１００の実施形態の上面図を概略的に示す。方向ｔｖは、光出射窓１１０から反射器１２０'、１２０"に向かう方向である。図１ｂは、反射面１２４、外側（曲げ）縁部１２１、光ガイドの第２の端部１５４を示す。破線は、反射器の内側（曲げ）縁部１２２を示す。線は、上面図において、光ガイドの後ろにあるため、破線である。破線１６０／１５２は、光ガイドの第１の端部１５２があり、固体光エミッタが位置する場所を示す。上面図で見ると、固体光エミッタ１６０及び第１の端部１５２は、同じサイズ及び／又は同じ形状を有する必要はない。箇所１５５は、図１ａに見られるように、光ガイドの部品が第１の端部１５２に近接した位置で集まる、光ガイドの箇所である。
【００３９】
図１ｃは、固体光エミッタ照明アセンブリ１００の実施形態の３次元図を概略的に示す。図１ｃには、反射器１２０の外側曲げ縁部１２１が示されている。反射面は湾曲していることが分かる。光ガイド１５０及び図１ｂの文脈で説明された箇所１５５を特定することもできる。１５４で示される線は、光ガイド１５０の第２の端部である。
【００４０】
図１ａ〜図１ｃの固体光エミッタ１００の実施形態において、光ガイド１５０'、１５０"はまた、光を回転方向にコリメートする機能も有する。その後、反射器１２０'、１２０"は、光を径方向にコリメートする。光をコリメートするために２つの要素を使用する可能性を有することにより、例えば、全幅半値（ＦＷＨＭ）幅７度の発光分布を有する、比較的狭い光ビームを放射するより良好な固体光エミッタ照明アセンブリを得ることができる。
【００４１】
図１ａ〜図１ｃの例において、また後述する実施形態において、光ガイド１５０、１５０'、１５０"は、固体光エミッタ１６０によって放射された光の方向を、著しく、例えば、少なくとも９０度、又は少なくとも１２０度変化させる。それにより、光出射方向は、光ガイド１５０、１５０'、１５０"によってほぼ反転される。
【００４２】
図２ａは、固体光エミッタ照明アセンブリ２００の第２の実施形態の上面の３次元図を概略的に示す。図２ｂは、固体光エミッタ照明アセンブリ２００の第２の実施形態の底面の３次元図を概略的に示す。固体光エミッタ照明アセンブリ２００の第２の実施形態は、固体光エミッタ照明アセンブリ１００の第１の実施形態と同様の実施形態、特性効果、及び利点を有し、第２の実施形態において異なる要素については後述する。図２ａには、反射器１２０及び光ガイド２５０が示されている。反射器１２０は、図１ａ〜図１ｃの反射器と等しい実施形態を有する。図２ｂから分かるように、光ガイド２５０はわずかに異なっている。より具体的に、第２の端部２５４はリング形状である。固体光エミッタ照明アセンブリ２００は、光ガイド２５０のリング形状の第２の端部２５４に向かって光を放射する複数の固体光エミッタを有する。複数の固体光エミッタ２６０を使用する効果は、より多くの光が光ガイドにカップルインされ得ること、及び、固体光エミッタ照明アセンブリ２００によって放射される光全体の一部のみを固体光エミッタ２６０ごとに放射すればよいため、より安価な固体光エミッタ２６０が使用され得ることである。また、それは、固体光エミッタ照明アセンブリ２００の熱管理も改善することができ、個々の固体光エミッタ２６０は、１つの単一固体光エミッタよりも熱くならず、固体光エミッタ２６０によって発生する全ての熱が様々な場所で発生し、したがって、固体光エミッタ照明アセンブリ２００内の様々な場所に熱を拡散させることがより容易である。
【００４３】
図３ａは、固体光エミッタ照明アセンブリ３００の第３の実施形態の上面の３次元図を概略的に示す。図３ｂは、固体光エミッタ照明アセンブリ３００の第３の実施形態の底面の３次元図を概略的に示す。固体光エミッタ照明アセンブリ３００の第３の実施形態は、固体光エミッタ照明アセンブリ２００の第２の実施形態と同様の実施形態、特性効果、及び利点を有し、第３の実施形態において異なる要素については後述する。固体光エミッタ照明アセンブリ３００において、光ガイド３５０の第２の端部は、例えば、切頭角錐である複数の構造体３５５によって形成され、角錐の切頭側に形成された表面が、固体エミッタ２６０のうちの１つの光を受光し、かつ当該光を光ガイド３５０にカップルインする、窓を形成する。第２の端部の構造体３５５はまた、別の形状、例えば、切頭楔又は切頭円錐の形状を有してもよい。また、別の例において、光ガイド３５０の第２の端部の構造体３５５は、台形プリズムの形状を有する。構造体３５５の背景にある考えは、光ガイド３５０が、複数の固体光エミッタ２６０のうちの対応する１つから光を受光するいくつかの光入力窓を有することである。構造体の効果は、矢状のコリメーションが改善されること、よって、より狭い光ビームが固体光エミッタ照明アセンブリ３００によって放射され得ることである。
【００４４】
図４ａは、固体光エミッタ照明アセンブリ４００の第４の実施形態の上面の３次元図を概略的に示す。図４ｂは、固体光エミッタ照明アセンブリ４００の第４の実施形態の底面の３次元図を概略的に示す。図４ｃは、固体光エミッタ照明アセンブリ４００の第４の実施形態の断面図を概略的に示す。固体光エミッタ照明アセンブリ４００の第４の実施形態は、固体光エミッタ照明アセンブリ２００の第２の実施形態と同様の実施形態、特性効果、及び利点を有し、第４の実施形態において異なる要素については後述する。
【００４５】
前述したように、固体光エミッタ２６０は、固体光エミッタ照明アセンブリの中心軸線の近くに位置する必要はなく、反射器１２０、１２０'、１２０"の外側曲げ縁部１２１'、１２１"の第１の側に、よって外側曲げ縁部１２１'、１２１"の反射面から離れた側に位置してもよい。このことはまた、光が固体光エミッタ照明アセンブリ４００の外側エリアの１つの位置から（又は複数の位置から）反射器１２０に向けて光が輸送されなければならないため、光ガイド４５０が異なる形状を有することも意味する。固体光エミッタ照明アセンブリ４００の特定の実施形態において、光ガイド４５０は複数の導光要素４５６によって形成される。導光要素４５６は、光が固体光エミッタ２６０のうちの対応する１つから受光され、かつ導光要素４５６にカップルインされる、第１の端部を有する。導光要素４５６の別の側において、導光要素４５６は、第２の端部を有し、導光要素４５６の全ての第２の端部が、光ガイド４５０の第２の端部４５４を全体として形成する。図４ａ〜図４ｃの例において、導光要素４５６の形状は、反射器１２０、１２０'、１２０"の外側縁部１２１'、１２１"の周りに湾曲した台形プリズムの形状である。図４ｃは、固体光エミッタ照明アセンブリ４００のベースを形成する、及び／又は固体光エミッタ２６０が設けられるプレートを形成する、追加要素、すなわちベースプレート４０２を示す。ベースプレート４０２は、固体光エミッタ２６０に電力を供給する回路も備えるプリント回路基板であってもよい。ベースプレート４０２はまた、反射器１２０（図示せず）を支持してもよく、また固体光エミッタ照明アセンブリ４００のハウジング（現在示されている）に結合されてもよい。本出願で説明される全ての実施形態に、ベースプレート及び／又はハウジングが設けられてもよい。
【００４６】
図４ｄは、固体光エミッタ照明アセンブリ４９０の第５の実施形態の断面図を概略的に示す。固体光エミッタ照明アセンブリ４９０は、図４ａ〜図４ｃの固体光エミッタ照明アセンブリ４００と同様であり、同様の実施形態、利点、及び効果を有する。固体光エミッタ照明アセンブリ４００と固体光エミッタ照明アセンブリ４９０との違いは、固体光エミッタ照明アセンブリ４００では、固体光エミッタ２６０が光出射窓に向かう方向に光を放射する一方、固体光エミッタ照明アセンブリ４９０では、光固体光エミッタ２６０が固体光エミッタ照明アセンブリ４９０の中心軸線に向かう方向に光を放射することである。よって、固体光エミッタ照明アセンブリ４９０の光ガイドの導光要素４５７は、形状が異なり、固体光エミッタ２６０は、例えば、１つ以上の支持構造体４９２上に配置される。支持構造体４９２は、固体光エミッタ２６０ごとの単一の支持構造体であってもよく、又は異なる固体光エミッタが配置されるリング形状の支持構造体であってもよい。支持構造４９２はまた、固体光エミッタ２６０に電力を供給する回路を備えるリング形状のプリント回路基板であってもよい。支持構造４９２はまた、固体光エミッタ照明アセンブリ４９０のハウジングの側壁であってもよい。
【００４７】
図４ａ〜図４ｄの文脈において、１つの利点は、固体光エミッタが固体光エミッタ照明アセンブリ４００、４９０の外側ハウジングに近接して配置されることである。このことは、良好な熱管理の設計に有用である。固体光エミッタ２６０内で発生した熱を、熱が周囲に容易に伝達され得るように、固体光エミッタ照明アセンブリ４００、４９０の外面に向けて輸送することが比較的容易である。固体光エミッタ２６０の１つに発生した熱が隣の固体光エミッタを大幅に加熱しないように、固体光エミッタ２６０間の距離もより大きい。固体光エミッタ照明アセンブリ４００、４９０の別の利点は、個々の導光要素４５６、４５７の使用が、エタンデュ制限により近いコリメーションが得られ得るように、コリメーションを改善することである。
【００４８】
図５ａは、固体光エミッタ照明アセンブリ５００の第６の実施形態の上面の３次元図を概略的に示す。図５ｂは、固体光エミッタ照明アセンブリ５００の第６の実施形態の底面の３次元図を概略的に示す。固体光エミッタ照明アセンブリ５００の第６の実施形態は、固体光エミッタ照明アセンブリ４００の第４の実施形態と同様の実施形態、特性効果、及び利点を有し、第６の実施形態において異なる要素については後述する。固体光エミッタ照明アセンブリ５００は、複数の固体光エミッタ２６０を有する。固体光エミッタ照明アセンブリ５００の反射器は、複数の反射器５２１、５２１'によって形成される。固体光エミッタ照明アセンブリ５００の光ガイドは、複数の導光要素５５１、５５１'によって形成される。各導光要素５５１、５５１'は、第１の端部５５２及び第２の端部５５４を有する。導光要素５５１、５５１'のうちの対応する１つの第１の端部は、固体光エミッタ２６０のうちの対応する１つから光を受光し、衝突光を導光要素５５１、５５２'にカップルインする。導光要素５５１、５５１'のうちの対応する１つの第２の端部は、反射器５２１、５２１'のうちの対応する１つに向けて光を放射する。導光要素５５１、５５１'の断面形状は、円形、正方形であってもよく、又は任意の他の適当な形状であってもよい。導光要素５５１、５５１'に長方形／正方形の断面形状が使用されると、第１の端部５５２と第２の端部５５４との間の漏光の量が低く保たれる。反射器５２１、５２１'は、光出射窓に向けて光を反射し、反射された光ビームの合成は、固体照明エミッタ照明アセンブリ５００の放射光ビームを全体として共に形成する。
【００４９】
図６は、断面形状が適合されたミラー６２０の断面形状を概略的に示す。図６は、ミラー６２０と、光ガイド６５０の断面形状とを示す。ミラー６２０の図示された断面は本出願で説明される任意のミラーに関連し得ることに留意されたい。また、光ガイド６５０の図示された断面は本出願で説明される任意の光ガイドに関連し得ることにも留意されたい。前述したように、ミラー６２０によって反射された光の一部が、光ガイド６５０の側面を透過する。光ガイドは、ミラー６２０の中心軸に対して元の位置から光線をオフシフトすることによって光線をわずかに乱し、最適にコリメートされた光ビームに代わる発散光ビームにわずかに寄与し得る。この効果を補正するための１つのオプションは、ミラー６２０の断面形状、特に光ガイド６５０の側面に向けて光を反射するミラー６２０の部分の断面形状を変更することである。例えば、光が側面を経て光ガイドを透過すべきでない場合に、ミラー６２０が放物線形状６２１を有するならば、光が光ガイド６５０の側面に向けて送出されるエリアに、わずかに放物線から外れた形状６２２を作り出すことによって、ミラー６２０の一部を補正してもよい。光の一部が光ガイド６５０を透過する場合でも、周囲に放射されなければならない特定の光ビームをミラー６２０が得るような最適な形状を計算するために、光線透過シミュレーションプログラムが使用され得る。
【００５０】
固体光エミッタ照明アセンブリにおける別の自由度は、光ガイドの正確な形状である。提示された図面のほとんどにおいて、光ガイド６５０の断面深さｄは、光ガイド６５０に沿って均一である。光出射窓を透過する光ビームのコリメーションに対する光ガイドの負の影響を補正するために、光ガイド６５０の深さｄを光ガイド６５０に沿って変化させてもよい。
【００５１】
この文脈において、ミラー６２０によって反射され、光ガイド６５０の第２の端部６５４に向けて送出される光が、光ガイド６５０の鋭い縁部に衝突することがあり、当該光が散乱され得ることにも留意されたい。散乱光は、光出射窓を通して放射される光ビームを歪ませることがあり、固体光エミッタ照明アセンブリの非効率に寄与し得る。これらの影響は、光が光ガイド６５０の鋭い縁部に向けて反射されないように、ミラー６２０を局所的に適合させることによって防止されてもよい。これらの影響はまた、ミラーに向けて放射される光分布が、光が光ガイド６５０の第２の端部６５４に向けて反射されるミラー６２０の特定部に多くの光を含まないように、光ガイド６５０の第２の端部６５４を適合させることによって防止されてもよい。
【００５２】
この文脈において、光ガイド６５０の第２の端部６５４は、光が光出射窓に向けて反射され、かつ光出射窓を通して周囲に放射されるときに、得られた光ビームが所定の要件内にあるような、ミラーに向かう特定の光分布を得るための特定の構造を備えてもよいことにも留意されたい。第２の端部６５４は、例えば、（少なくとも断面図において）楔形であってもよく、平坦であってもよく、１つ以上の小平面を備えてもよく、湾曲部を有してもよく、又はこれら形状の任意の組み合わせであってもよい。
【００５３】
図７ａは、固体光エミッタ照明アセンブリ７００の第７の実施形態の断面図を概略的に示す。図７ｃは、固体光エミッタ照明アセンブリ７００の第７の実施形態の３次元図を概略的に示す。固体光エミッタ照明アセンブリ７００の例は、固体光エミッタ２６０が固体光エミッタ照明アセンブリ７００の外面の近くに配置される場合、固体光エミッタ照明アセンブリ７００の半径よりもわずかに小さい半径を有する１つの反射器を全体として使用してもよいことを示す。このことは、前述の固体光エミッタ照明アセンブリ、例えば、固体光エミッタ照明アセンブリ４００、４９０、５００に適用することができる。導光構造体７５１の第２の端部は、上面図で見ると、反射器の中心点に近接して配置される。図７ｃの例は、４つの固体光エミッタ２６０及び４つの導光構造体７５１を示す。実施形態は、当該数に限定されず、任意の他の適当な数も同様に使用することができる。
【００５４】
反射器７２０の断面形状は、一般的に凸形状である。オプションとして、反射器７２０の断面形状は、凸形状、例えば、放物線形状又は円の一部であってもよい。このことは、前述の反射器の断面形状にも適用される。例えば、図１ａの反射器１２０の左断面部１２０'も、放物線状であってもよく、又は円の一部に沿う形状を有してもよい。光ガイドの第２の端部は、反射器の焦点に近接して配置されてもよい。
【００５５】
図７ｂは、固体光エミッタ照明アセンブリ７９０の第８の実施形態の断面図を概略的に示す。固体光エミッタ照明アセンブリ７９０は、図７ａ及び図７ｃの固体光エミッタ照明アセンブリ７００の第２の実施形態と同様の実施形態、特性効果及び利点を有する。違いは、固体光エミッタ２６０が異なるように配置されることである。固体光エミッタ照明アセンブリ７００において、光エミッタは、光出射窓の方向に放射し、固体光エミッタ照明アセンブリ７９０において、光エミッタ２６０は、固体光エミッタ照明アセンブリ７９０の中心軸線に向かう方向に放射する。導光構造体７５１'は、それに応じて適合される。
【００５６】
図７ｄは、固体光エミッタ照明アセンブリ７００、７９０の第７又は第８の実施形態の照明ガイドの第２の端部７５４の一実施形態を概略的に示す。導光要素７５１、７５１'が集まる場所で、それらは光ガイドの第２の端部７５４を共に形成する。
【００５７】
図７ｅは、固体光エミッタ照明アセンブリ７００、７９０の第７又は第８の実施形態の照明ガイドの第２の端部７５４'の別の実施形態を概略的に示す。図７ｅの例において、導光要素７５１、７５１'の端部は、三角形の断面形状を有し、正多角形を共に形成する。図７ｅの例では、８つの導光要素７５１、７５１'が存在し、よって、第２の端部７５４'の断面形状が八角形である。固体光エミッタアセンブリの実施形態は、当該特定の数の導光要素及び対応する数の固体光エミッタに限定されないことに留意されたい。
【００５８】
図８は、固体光エミッタ照明アセンブリ１００の第１の実施形態のシミュレートされた発光分布のチャートを概略的に示す。チャートのｘ軸は、放射された光ビームの中心軸線に対する発光角を表す。チャートのｙ軸は、カンデラ（ｃｄ）で表される放射光強度を表す。シミュレートされた光ビームは、図１ａ〜図１ｃの固体光エミッタ照明アセンブリ１００に関する。シミュレートされた実施形態の光ガイド１５０'、１５０"及びミラー１２０'、１２０"は、比較的狭い光ビームを得るように設計されている。チャートに示すように、そのような狭い光ビームを得ることができる。シミュレーションは、６．５度のＦＷＨＭ光ビームを得ることができることを示す。図８のチャートは、１ｌｍの光エミッタが使用されたシミュレーションに関する。チャートに示すように、絶対光ビーム強度は２５０００カンデラである。光学効率は約８０％であり、よって、相対中心ビーム強度は、ルーメン当たり約４２／０．８＝５２カンデラである。６００ｌｍの出力を有する６．５ｍｍのＣＯＢ光エミッタ（チップオンボードパッケージ）が使用される場合、約２５０００カンデラの絶対中心光ビーム強度を得ることができる。当該シミュレーション結果は、従来のＡＲ１１１照明アセンブリが比較的狭い光ビームを放射し、比較的高いピーク強度を放射する必要があるときも、ＡＲ１１１を置き換えるために、図１ａ〜図１ｃの固体光エミッタ照明アセンブリ１００を使用し得ることを示す。
【００５９】
図９は、光ガイド１５０の詳細の側面図を概略的に示す。図９は、光ガイド１５０の部分１５０'、１５０"を示す。２本の水平線の間のエリアによって、第２の端部１５４が概略的に示されている。第１の端部１５２は、図９の下部に拡大されている。第１の端部１５２は、光ガイド内に一種の凹みを形成する表面１５２'、１５２"を備える。第１の端部１５２の当該形状は、光ガイド１５０への光のインカップルを支援し得る。示される中央キンク（kink）は、異なる方向の異なるビームに光ビームを分割することを支援する。本明細書に提示される全ての光ガイドの第１の端部は、光のインカップル及び／又は光ガイド１５０内の有利な方向へのインカップルされた光の送出を支援するための特定の構造を有してもよいことに留意されたい。
【００６０】
図１０は、第２の反射器１０２０の使用を概略的に示す。一部の光１０９６が横方向に漏れることがあり得る。当該光は、光ガイド１５０の第１の端部と固体光エミッタ２６０との間に存在する隙間を通して漏れることがあり、又は固体光エミッタ２６０の側面が光を放射することがあり得る。第２の反射器１０２０は、図１０に示されるように、当該光を光出射窓に向けて反射するために使用されてもよい。第２の反射器１０２０は、光ガイド１５０の第１の端部に向かって引き返す光を放射するために使用されることもあり得る。これにより、第２の反射器１０２０は、固体光エミッタ照明アセンブリのより高いピーク強度に寄与し、より高い効率に寄与し、光ガイド１５０に直接カップルインされない光による放射光ビームの歪みの制限に寄与する。
【００６１】
図１１は、細長い固体光エミッタ照明アセンブリ１１００の一実施形態を概略的に示す。反射器は、細長い左反射器１０２０'、細長い右反射器１０２０"、及び細長い光ガイド１０５０を有する。細長い固体光エミッタ照明アセンブリ１１００の断面図は、図１ａ〜図１ｃの前述した固体光エミッタ照明アセンブリ１００の断面図と同様である。他の固体光エミッタ照明アセンブリ、例えば固体光エミッタアセンブリ１００の文脈で説明される実施形態、効果及び利点が、当該実施形態、効果及び利点は、図１１に提示される細長い構成にもあてはまる限り、細長い固体光エミッタ照明アセンブリ１１００にもあてはまる。
【００６２】
図１２は、照明器具１２００の一実施形態を概略的に示す。照明器具は、前述の実施形態のうちの１つの固体光エミッタ照明アセンブリ（図１２には別個に示されていない）を１つ以上備える。
【００６３】
固体光エミッタ照明アセンブリ及び照明器具が提供される。固体光エミッタアセンブリは、光出射窓、反射器、光ガイド、及び固体光エミッタを備える。反射器は、光出射窓に向けて光を反射し、光出射窓に向かって曲がった少なくとも１つの縁部を有する。光ガイドは、第１の端部において光を受光し、ガイドされた光を第２の端部において反射器に向けて出射する。第１の端部は、少なくとも１つの縁部の第１の側に配置される。第１の側は、反射器の反射面から離れている。固体光エミッタもまた第１の側にあり、光ガイドの第１の端部に向けて光を放射する。反射器によって反射された光の一部が、光ガイドの側面を通して光ガイドを透過する。
【００６４】
明確化のための上記記載は、様々な機能的ユニットを参照して、本発明の実施形態を記載してきたことが理解されよう。しかし、様々な機能的ユニット間での機能性の任意の好適な配分が、本発明から逸脱せずに、使用され得ることが明らかとなるであろう。それゆえ、特定の機能的ユニットへの参照は、厳密に論理的又は物理的な構造又は構成を示すというよりは、むしろ記載された機能性を提供するための好適な手段への参照としてのみ見なされるべきである。
【００６５】
本明細書では、用語「備える（comprising）」は、列挙されたもの以外の他の要素又はステップの存在を除外せず、また、要素に先立つ用語「ａ」又は「ａｎ」は、複数のそのような要素の存在を除外せず、いかなる参照符号も特許請求の範囲を限定しないことに留意されたい。更に、本発明は、それらの実施形態には限定されず、本発明は、上述の、又は互いに異なる従属請求項に列挙された、あらゆる新規な特徴、又は特徴の組み合わせにある。
【図１ａ】
0006659918.tif 000002
【図１ｂ】
0006659918.tif 000003
【図１ｃ】
0006659918.tif 000004
【図２ａ】
0006659918.tif 000005
【図２ｂ】
0006659918.tif 000006
【図３ａ】
0006659918.tif 000007
【図３ｂ】
0006659918.tif 000008
【図４ａ】
0006659918.tif 000009
【図４ｂ】
0006659918.tif 000010
【図４ｃ】
0006659918.tif 000011
【図４ｄ】
0006659918.tif 000012
【図５ａ】
0006659918.tif 000013
【図５ｂ】
0006659918.tif 000014
【図６】
0006659918.tif 000015
【図７ａ】
0006659918.tif 000016
【図７ｂ】
0006659918.tif 000017
【図７ｃ】
0006659918.tif 000018
【図７ｄ】
0006659918.tif 000019
【図７ｅ】
0006659918.tif 000020
【図８】
0006659918.tif 000021
【図９】
0006659918.tif 000022
【図１０】
0006659918.tif 000023
【図１１】
0006659918.tif 000024
【図１２】
0006659918.tif 000025